(57)【要約】      （修正有）【課題】情報記録媒体上に記録再生を行う情報記録装置に関し、特にレーザ光記録による記録方式で情報を記録するための情報記録方法および情報記録再生装置を提供する。【解決手段】レーザ光が入射される方向を基準に、レーザ光が順次到達する立体的に複数配置される情報の記録層とは逆に情報を記録することによって、レーザ光が通過する記録層の記録情報が破壊されることなく、かつ、複数の記録層を通過することによる一定の光量変化だけによる変動にすることができるようにしたものである。【選択図】図３
2010287308.tif 000002
【特許請求の範囲】
【請求項１】
発振したレーザ光を情報記録媒体に照射して、当該情報記録媒体上の記録エリアに、情報の未記録部分とは物性的に異なる記録部分を形成して情報を蓄積する記録媒体で、情報が蓄積される記録層が立体的に複数配置される多層構造を具備し、各記録層の平面内の記録エリアが細分化された記録媒体に情報を記録する記録方法において、前記各記録層の平面内の細分化されたある記録エリアに情報を記録し、前記各記録層の記録エリアがすべて記録された状態から次の各記録層の平面内の細分化された記録エリアに情報を記録し、立体的に複数配置される記録層に順次情報を記録することを特徴とする多層構造記録媒体における情報記録方法。
【請求項２】
請求項１に記載の情報記録方法で、一度だけ情報を記録できる記録媒体に記録する情報記録方法において、レーザ光が入射される方向を基準に、レーザ光が順次到達する立体的に複数配置される情報の記録層とは逆に情報を記録することを特徴とする多層構造記録媒体における情報記録方法。
【請求項３】
請求項１に記載の情報記録方法で、情報を記録することによって散乱および吸収等によりレーザ光量が大きく変化する記録媒体に情報を記録する情報記録方法において、レーザ光が入射される方向を基準に、レーザ光が順次到達する立体的に複数配置される情報の記録層とは逆に情報を記録することを特徴とする多層構造記録媒体における情報記録方法。
【請求項４】
請求項１に記載の情報記録方法で、平面内の記録エリアが細分化された記録媒体がM-CLV(Modified Constant Linear Velocity)方式で回転制御される情報記録方法において、各記録層の平面内の細分化されたある記録エリアに情報を記録し、前記各記録層の記録エリアがすべて記録された状態から次の各記録層の平面内の細分化された記録エリアに情報を記録する場合、記録媒体の回転数のみを制御することを特徴とする多層構造記録媒体における情報記録方法。
【請求項５】
請求項１に記載の情報記録方法で、情報を記録した順番等を記録媒体の所定のエリアに、記録することを特徴とする多層構造記録媒体における情報記録方法。
【請求項６】
請求項１に記載の情報記録方法で、多層構造記録媒体の各記録層の焦点位置を記録媒体の所定のエリアまたは記録情報を管理するエリアにおいて情報の記録を行なう前に、前記焦点位置をあらかじめ検出しておくことを特徴とする多層構造記録媒体における情報記録方法。
【発明の詳細な説明】
【技術分野】
【０００１】
本発明は、情報記録媒体上に記録再生を行なう情報記録再生装置に係り、特にレーザ光記録による記録方式で情報を記録するための情報記録方法および情報記録再生装置に関するものである。
【背景技術】
【０００２】
レーザ光を利用して情報記録媒体に情報を記録、再生する技術は、既に光ディスク装置等が実用化されており、書き換え型光ディスク装置の一つの方式に、結晶と非晶質間の可逆的な状態変化を利用した相変化型光ディスクがある。これらの２つの状態を得るために、高いパワー（記録パワー）を照射して情報記録媒体を融点以上に加熱後、急冷することによって非晶質状態にし、前記の高いパワーと再生パワーの中間パワー（消去パワー）を照射して情報記録媒体を結晶化温度まで昇温後、徐冷することによって結晶状態となり、単一のレーザ光により重ね書きが可能となる。
【０００３】
従来、前記の記録方式による情報の記録に関して、非特許文献１に記載のように、情報が記録される記録層が貼り合せられ２つの記録層を持ち、各記録層への記録再生は、相対する方向にレーザ光を照射する方式であり、一方の方向から記録する記録方式ではない。また、情報を読み出すための再生専用に関しては、非特許文献２に記載のように、再生される再生層が立体的な２層構造において、レーザ光が入射位置に近い方から情報を読みだし、その後、レーザ光入射位置から遠い方の情報を読み出す方式である。
【先行技術文献】
【非特許文献】
【０００４】
【非特許文献１】DVD Specifications for Rewritable Disc (DVD-RAM) Part 1 Physical Specifications Version 1.0(PH-17)
【非特許文献２】DVD Specifications for Read-Only Disc (DVD-ROM) Part 1 Physical Specifications Version 1.0(PH-28〜PH-39)
【発明の概要】
【発明が解決しようとする課題】
【０００５】
上記従来技術は、情報を記録できる方式に関して、情報が蓄積される記録層が立体的に複数配置される多層構造の記録方法について配慮されておらず、情報が記録されることにより、記録された記録層をレーザ光が通過する時の散乱および吸収によるレーザ光の大きな光量変動や既に記録された記録層の情報が破壊される等の問題があった。
【０００６】
また、情報が蓄積される記録層が立体的に複数配置される多層構造でかつ記録エリアが細分化され、細分化された記録エリアに応じて記録媒体の回転制御を必要とする記録方式において、多層構造のある記録層を前記再生専用の情報読みだし方式のように情報を記録することによって、内周から外周に向けて前記記録層に情報を記録し終えた時点で、外周から内周に向けてレーザ光または記録媒体を移動させる必要があり、さらに、 M-CLV(Modified Constant Linear Velocity)方式で回転制御される場合、回転数を２倍程度大きくする必要がある。これらの動作時間が非常に長くなるため、情報の記録再生に関わる時間がやはり長くなり、情報の転送レートが大きく低下する問題があった。
【０００７】
本発明の目的は、上述の課題を解決するものであり、情報が蓄積される記録層が立体的に複数配置される多層構造の記録方法において、情報を記録する順番について考慮することによって、レーザ光または記録媒体を移動させる時間および記録媒体の回転制御時間を抑圧する情報記録方法を提供することである。
【課題を解決するための手段】
【０００８】
前記目的を達成するために、本発明の情報記録方法は、発振したレーザ光を情報記録媒体に照射して、当該情報記録媒体上の記録エリアに、情報の未記録部分とは物性的に異なる記録部分を形成して情報を蓄積する記録媒体で、情報が蓄積される記録層が立体的に複数配置される多層構造を具備し、各記録層の平面内の記録エリアが細分化された記録媒体に情報を記録する記録方法において、情報を記録することによって散乱および吸収等によりレーザ光量が大きく変化する記録媒体に情報を記録する場合、レーザ光が入射される方向を基準に、レーザ光が順次到達する立体的に複数配置される情報の記録層とは逆に情報を記録することによって、レーザ光が通過する記録層の記録情報が破壊されることなく、かつ、複数の記録層を通過することによる一定の光量変化だけによる変動にすることができるようにしたものである。
【０００９】
また、前記各記録層の平面内の細分化されたある記録エリアに情報を記録し、前記各記録層の記録エリアがすべて記録された状態から次の各記録層の平面内の細分化された記録エリアに情報を記録し、立体的に複数配置される記録層に順次情報を記録することによって、 M-CLV(Modified Constant Linear Velocity)方式での回転制御時間を抑圧できるようにしたものである。
【発明の効果】
【００１０】
本発明によれば、多層構造を有する記録媒体への記録において、レーザ光が通過する記録層の記録情報が破壊されることなく、かつ、複数の記録層を通過することによる一定の光量変化だけによる変動に抑えることができるので、信頼性の高い情報の記録が行なえる。また、ゾーン毎に多層構造の記録層に情報を記録できるので、光スポットの移動時間を最小限にできるため、情報記録時の転送レートを向上させることができる。
【図面の簡単な説明】
【００１１】
【図１】本発明の一実施形態における情報記録再生装置構成を示す構成図。
【図２】本発明の一実施形態における多層構造記録媒体での合焦点位置検出方法を示す構成図。
【図３】本発明の一実施形態における多層構造記録媒体における情報記録方法を示す図。
【発明を実施するための形態】
【００１２】
以下、本発明の実施形態を説明する。図１は、本発明の装置構成の一実施形態を示す。ここにおいて、１はレーザ、２，４はレンズ、５は記録媒体、１２，１３は光検出器、１５は再生回路、２０はレーザドライバ、２１はパワー監視回路、２２はサーボ駆動回路、２３はコントローラ、２４はスピンドル駆動回路をそれぞれ示す。
【００１３】
情報記録再生装置は、レ−ザ１を中心とする光ヘッドと情報を記憶させるための記録媒体５とレーザドライバ２０を中心とする記録処理系と光ヘッドから得られた再生信号を情報に変換する再生回路１５を中心とした再生処理系から構成される。記録媒体５は、基板６に積層された第1記録層７、中間層８、第２記録層９および保護層１０から構成される。
【００１４】
上位ホストからの命令や情報デ−タはコントロ−ラ２３において命令の解読や記録デ−タの変調および変調方式に対応する符号列に変換され、レーザドライバ２０に伝送される。大容量化の手法としてゾ−ンごとに記録媒体の回転数を変えて内外周での記録密度を略一定とするM-CLV(Modified Constant Linear Velocity)方式と呼ばれる記録方法を採用した場合には、記録再生するゾ−ンに応じて、スピンドルの回転数を高精度に制御する必要がある。
【００１５】
情報の記録再生を実施するための光スポットの位置制御を行なうサーボは、光検出器１２の前に配置した円柱レンズ（図示せず）と光検出器（４分割）１２によりプリアンプ４およびサーボ回路１８によって、フォーカス誤差信号及びトラック誤差信号を得ることができ、前記誤差信号をコントローラ２３に入力し、サーボ信号をコントローラ２３からサーボ駆動回路２２に出力し、アクチュエータ１１をサーボ駆動回路２２で制御することにより、光スポットの位置制御を行なう。
【００１６】
高周波重畳回路１９はレ−ザ１に起因するレ−ザ雑音を低減するために設けてあり、記録／消去時にはレ−ザの寿命の関点から高周波重畳を休止することもある。
【００１７】
再生時はレ−ザ１を低出力発振させ、記録媒体５に入射させる。記録媒体５からの反射光はプリズム３で光路を分離して光検出器１２に入射させる。光検出器１２で光電変換した後、プリアンプ１４で増幅し、再生回路１５に入力する。再生回路１５は波形等化回路、自動利得制御回路、二値化回路などから構成されており、入力された再生信号を二値化信号とする。
【００１８】
再生回路１５からの二値化信号はセルフクロッキングのためにＰＬＬ（Phase Locked Loop)１６に入力される。ＰＬＬ１６で得られる二値化信号に同期した再生クロックと二値化信号はデ−タ弁別のために弁別回路１７に入力され、その結果としてのデ−タ弁別信号はコントロ−ラ２３に入力されデ−タが復調される。
【００１９】
情報の記録を行なう場合、コントロ−ラ２３からの正規の情報デ−タに応じて変調された記録パルス列がレーザドライバ２０に出力される。レーザドライバ２０はレーザ1を高出力発振させ、レ−ザ１から出た光はレンズ２で平行光となってプリズム３を通り、レンズ４により記録媒体５上に収束して符号列に応じた記録マークを記録する。
【００２０】
図２は本発明における多層構造記録媒体での合焦点位置検出方法を示す。記録媒体５がスピンドル２５に設定された場合、記録媒体５の内周または外周等に設けられた管理エリア４０において、レンズ４を基板６から保護層１０に向けて移動させることによって、図２の下側に記述された焦点ずれ量と焦点誤差信号振幅のグラフのように、第１記録層７と第２記録層９を光スポットが通過する時、右下がりの傾きで焦点誤差信号振幅が零になる。この２点間の焦点ずれΔＬが第１記録層７と第２記録層９の焦点ずれ量であり、このΔＬをコントローラ２３で記憶しておくことにより、第１記録層７と第２記録層９の焦点位置を自在に変化させることができる。
【００２１】
図３に本発明における多層構造記録媒体における情報記録方法を示す。図３は記録媒体５を半径方向に分割されたゾーンｎ３１における記録方法を示してあり、 M-CLV(Modified Constant Linear Velocity)方式と呼ばれる記録方法を示す。図３(a)では第２記録層９のゾーンｎ３１のスタート位置に光スポットを移動させるとともに、スピンドル２５の回転数をスピンドル駆動回路２４で制御する。記録媒体５の回転数が制御された後、第２記録層９のゾーンｎ３１のスタート位置から記録を開始し、ゾーンｎ３１の終了位置まで記録を行なう。
【００２２】
次に、図２で説明したΔＬだけ焦点位置を移動させるために、アクチュエータ１１をサーボ駆動回路２２で制御する。光スポットは第２記録層９から第１記録層７に移動し、さらに、第１記録層７のゾーンｎ３１のスタート位置まで光スポットを移動させて、記録を開始した状態が図３(b)であり、第１記録層７のゾーンｎ３１の終了位置まで記録を行なう。その後、図３(c)に示すようにゾーンｎ＋１ ３２に光スポットを移動させ、スピンドル２５の回転数をスピンドル駆動回路２４で制御し、図２で説明したΔＬだけ焦点位置を移動させ、第１記録層７から第２記録層９に光スポットを移動させ、第２記録層９のゾーンｎ＋１ ３２のスタート位置から記録を再び開始する。
【００２３】
以上のように第２記録層９から情報を記録することによって、記録していない第１記録層７でのレーザ光の散乱および吸収等による大きな光量変動を被ることなく、正確に情報を記録できる。また、ゾーン毎に第１記録層７と第２記録層９に情報を記録することができるので、ゾーンが変わることによるスピンドル２５の回転制御時間を最小限に抑えることができる。
【００２４】
さらに、記録中の光スポットの移動はゾーン内の移動で済むため、やはり、最小限の移動時間に抑えることができる。通常、ＣＤサイズでの光スポットの移動距離は、約３０〜４０mm程度あり、安価な移動機構では、０．２〜０．３秒程度の移動時間が費やされる。したがって、ゾーンを１mm程度に設定すれば０．０１秒程度の移動時間で済むため、第２記録層９のすべてのゾーンに情報を記録した後、第１記録層７に情報を記録する方式に比べて光スポットの移動時間を大きく削減することができる。
【００２５】
また、第１記録層７が記録されることによるレーザ光の散乱および吸収等が小さい場合、図３(c)に示すゾーンｎ＋１ ３２での焦点位置移動を行なわず、ゾーンｎ＋１ ３２の第１記録層７から情報の記録を開始し、第１記録層７への情報記録が終了した後、第２記録層９に記録を行なうことで、ゾーン変更に伴う、情報記録再生装置の動作変更は、スピンドル２５の回転制御のみとなり、情報記録時の転送レートを向上させることができる。
【００２６】
以上のように、記録媒体の特性に応じて記録する順番を任意に変えた場合、図２で示した管理エリア４０に記録順番を記録しておくことによって、スムーズに再生することができる。
【符号の説明】
【００２７】
１…レーザ、４…レンズ、５…記録媒体、６…基板、７…第１記録層、８…中間層、９…第２記録層、１０…保護層、２２…サーボ駆動回路、２３…コントローラ、２４…スピンドル駆動回路、２５…スピンドル、３１…ゾーンｎ、４０…管理エリア、４１…ゾーンｍ。
【図１】
2010287308.tif 000003
【図２】
2010287308.tif 000004
【図３】
2010287308.tif 000005
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
レーザ光入射面に最も近い第1記録層から最も遠い第N記録層（N≧２）までの複数の記録層を有するディスク状記録媒体に、一方向からレーザ光を照射し、いずれかの記録層に情報を記録する情報記録方法であって、
前記複数の記録層の焦点位置を検出して、前記焦点位置に関する情報を前記ディスク状記録媒体の所定のエリア、又は、情報記録装置に記録することを特徴とする情報記録方法。
【請求項２】
請求項１に記載の情報記録方法であって、
前記ディスク状記録媒体の所定のエリア、又は情報記録装置に記録されたそれぞれの記録層の焦点位置に関する情報を読み出し、前記焦点位置に基づいて焦点合わせを行い、所望の記録層に情報を記録することを特徴とする情報記録方法。